(57)【要約】【課題】電気掃除機を収納する際に、掃除機本体を安定して起立保持させる。【解決手段】電動送風機２を内蔵する掃除機本体１と、一端に掃除機本体１に接続される本体側接続管６を有し、他端に手元側接続管８を有するホース５と、手元側接続管８に一端が接続される延長管７と、延長管７の他端に接続される床用吸込具９とを備え、掃除機本体１は、背面下部に形成される脚部１６と、後方上部に前後方向に沿って立設される略コ字状の取っ手部１３とを有し、取っ手部１３には、後端部から掃除機本体１の背面側に向かって起立保持部１４が延設され、脚部１６及び起立保持部１４が床面に接地されることで、掃除機本体１が起立保持されることを特徴とする。【選択図】図１
2011245188.tif 000002
【特許請求の範囲】
【請求項１】
電動送風機を内蔵する掃除機本体と、一端に前記掃除機本体に接続される本体側接続管を有し、他端に手元側接続管を有するホースと、該手元側接続管に一端が接続される延長管と、該延長管の他端に接続される床用吸込具とを備え、
前記掃除機本体は、背面下部に形成される脚部と、後方上部に前後方向に沿って立設される略コ字状の取っ手部とを有し、
該取っ手部には、後端部から掃除機本体の背面側に向かって起立保持部を延設し、
前記脚部及び前記起立保持部を床面に接地することで、掃除機本体を起立保持することを特徴とする電気掃除機。
【請求項２】
電動送風機を内蔵する掃除機本体と、一端に前記掃除機本体に接続される本体側接続管を有し、他端に手元側接続管を有するホースと、該手元側接続管に一端が接続される延長管と、該延長管の他端に接続される床用吸込具とを備え、
前記掃除機本体は、底面の前方に配設される前車輪と、左右両側面の後方に配設され、少なくとも一部が前記掃除機本体の背面より後方へ突出する後車輪と、後方上部に前後方向に沿って立設される略コ字状の取っ手部とを有し、
該取っ手部には、後端部から掃除機本体の背面側に向かって起立保持部を延設し、
前記後車輪及び前記起立保持部を床面に接地することで、掃除機本体を起立保持することを特徴とする電気掃除機。
【請求項３】
前記取っ手部は、前記掃除機本体の上部から上方に突出するように配設されることを特徴とする請求項１または請求項２記載の電気掃除機。
【請求項４】
前記掃除機本体を床面に起立保持した際に、
前記延長管を掃除機本体に保持可能に構成するとともに、前記延長管に装着した状態の床用吸込具を床面に接地することを特徴とする請求項１または請求項３に記載の電気掃除機。
【請求項５】
前記取っ手部は、前端部を前記掃除機本体に対して回動自在に枢支し、後端部を前記掃除機本体に対して上下動可能とすることを特徴とする請求項１または請求項４記載の電気掃除機。
【請求項６】
前記起立保持部と前記掃除機本体上面との間に、前記ホースを遊嵌可能に構成されるホース収納空間を形成し、
前記延長管に、前記手元側接続管を保持する保持部を形成することを特徴とする請求項請求項１から請求項５のいずれかに記載の電気掃除機。
【発明の詳細な説明】
【技術分野】
【０００１】
電気掃除機に関するものである。
【背景技術】
【０００２】
従来の電気掃除機は、収納する際には、掃除機本体背面に形成した脚部及び後車輪を床面に接地させて掃除機本体を起立状態に保持し、掃除機本体にホース及び延長管を接続した状態で、延長管に形成した係止部を掃除機本体底面に形成した溝部に挿入嵌合するよう構成されている(特許文献１)。
【先行技術文献】
【特許文献】
【０００３】
【特許文献１】特開２０１０−７５４７１
【発明の概要】
【発明が解決しようとする課題】
【０００４】
電気掃除機は、掃除機本体の小型化も要望されており、小型化により掃除機本体背面の面積も狭くなるが、特許文献１の電気掃除機は、掃除機本体背面に形成される脚部及び後車輪によって、掃除機本体を起立保持する構成となっているため、脚部間及び脚部と後車輪との間の距離が狭くなり、掃除機本体の収納時の安定性が悪いという問題があった。
【０００５】
本発明は、電気掃除機を収納する際に、掃除機本体を安定して起立保持させることができる電気掃除機を提供するものである。
【課題を解決するための手段】
【０００６】
電動送風機を内蔵する掃除機本体と、一端に前記掃除機本体に接続される本体側接続管を有し、他端に手元側接続管を有するホースと、該手元側接続管に一端が接続される延長管と、該延長管の他端に接続される床用吸込具とを備え、前記掃除機本体は、背面下部に形成される脚部と、後方上部に前後方向に沿って立設される略コ字状の取っ手部とを有し、該取っ手部には、後端部から掃除機本体の背面側に向かって起立保持部を延設し、前記脚部及び前記起立保持部を床面に接地することで、掃除機本体を起立保持することを特徴とする。
【０００７】
または、電動送風機を内蔵する掃除機本体と、一端に前記掃除機本体に接続される本体側接続管を有し、他端に手元側接続管を有するホースと、該手元側接続管に一端が接続される延長管と、該延長管の他端に接続される床用吸込具とを備え、前記掃除機本体は、底面の前方に配設される前車輪と、左右両側面の後方に配設され、少なくとも一部が前記掃除機本体の背面より後方へ突出する後車輪と、後方上部に前後方向に沿って立設される略コ字状の取っ手部とを有し、該取っ手部には、後端部から掃除機本体の背面側に向かって起立保持部を延設し、前記後車輪及び前記起立保持部を床面に接地することで、掃除機本体を起立保持することを特徴とする。
【０００８】
前記取っ手部は、前記掃除機本体の上部から上方に突出するように配設されることが好ましい。
【０００９】
また、前記掃除機本体を床面に起立保持した際に、前記延長管を掃除機本体に保持可能に構成するとともに、前記延長管に装着した状態の床用吸込具を床面に接地するように構成することが好ましい。
【００１０】
さらに、前記取っ手部は、前端部を前記掃除機本体に対して回動自在に枢支し、後端部を前記掃除機本体に対して上下動可能とするように構成することが好ましい。
【００１１】
また、前記起立保持部と前記掃除機本体上面との間に、前記ホースを遊嵌可能に構成されるホース収納空間を形成し、前記延長管に、前記手元側接続管を保持する保持部を形成することが好ましい。
【発明の効果】
【００１２】
請求項１及び請求項２によると、掃除機本体の背面に形成される脚部または後車輪と、掃除機本体後方上部の取っ手部後方に延設される起立保持部によって、掃除機本体を起立保持するので、起立保持部と脚部または後車輪との間隔を広く形成することができ、掃除機本体を安定して床面に起立保持させることができる等の効果を奏する。
【００１３】
請求項３によると、起立保持部と脚部または後車輪との間隔を広くすることができるので、より安定して掃除機本体を床面に起立保持することができる等の効果を奏する。
【００１４】
請求項４によると、電気掃除機を収納する際に、床用吸込具の先端が床面に接地するので、より安定して掃除機本体を床面に起立保持することができる等の効果を奏する。
【００１５】
請求項５によると、取っ手部を回動して収納することができ、取っ手部を収納することで掃除機本体を小型化できる等の効果を奏する。
【００１６】
請求項６によると、ホースを掃除機本体外周に巻き付けて、収納することができるので、コンパクトに収納することができる等の効果を奏する。
【図面の簡単な説明】
【００１７】
【図１】本発明の第一実施形態における電気掃除機の断面図である。
【図２】同電気掃除機の側面図である。
【図３】同電気掃除機を収納させた状態の側面図である。
【図４】同電気掃除機を収納させた状態の正面図である。
【図５】同掃除機本体背面上部に備えた脚部と引出口の周縁部とが床面に接地するように構成される場合を示す側面図である。
【図６】同掃除機本体背面上部に備えた脚部と引出口の周縁部とが床面に接地するように構成される場合を示す正面図である。
【図７】本発明の第二実施形態における電気掃除機の断面図である。
【図８】同電気掃除機を収納させた状態の側面図である
【図９】同電気掃除機を収納させた状態の正面図である。
【図１０】同電気掃除機を収納させた状態の断面図である。
【図１１】同電気掃除機において取っ手部を下方に回動させた状態の側面図である
【図１２】同電気掃除機において取っ手部を下方に回動させた状態の断面図である。
【発明を実施するための形態】
【００１８】
本発明の第一実施形態を図１乃至図６に基づいて以下に詳述する。
図１に示すように、１は電動送風機２が内蔵される掃除機本体で、該掃除機本体１内に集塵室３が形成され、前記集塵室３内にダストカップ４が着脱自在に収納されており、該ダストカップ４内に塵埃を集塵できるように構成されている。５は可撓性を有するホースで、一端に前記掃除機本体１に着脱自在に接続される本体側接続管６が形成され、他端には延長管７が着脱自在に接続される手元側接続管８が形成されている。９は前記延長管７に接続される床用吸込具で、前記延長管７を介して、前記手元側接続管８に装着されるようになっている。以下、掃除機本体１において、集塵室３側を前方、電動送風機２側を後方とする。また、説明の便宜上、掃除機本体１の後方の面を背面Ａとし、該背面Ａには、電動送風機２からの排気流を排気するための排気口１０が形成されている。
【００１９】
図２乃至図４に示すように、前記掃除機本体１には、底面前方に前車輪１１、後方の左右両側面に後車輪１２が配設されている。１３は前記掃除機本体１の後方上部に、掃除機本体１の前後方向に沿って立設される略コ字状の取っ手部で、前記掃除機本体１上面との間に手を挿入可能に構成される。前記取っ手部１３の後端部から掃除機本体１の背面Ａ側に向かって起立保持部１４が延設されており、該起立保持部１４と前記掃除機本体１上面との間に、前記ホース５の直径と同程度の隙間となるホース収納空間１５が形成されている。１６は掃除機本体１の背面Ａ下部の左右両側に形成される脚部で、図３乃至図４に示すように、前記起立保持部１４後端及び前記脚部１６が床面に接地することで、前記掃除機本体１の背面Ａを床面に対向するように、前記掃除機本体１を起立保持できるようになっている。
【００２０】
図４に示すように、１７は前記掃除機本体１底面に形成される溝部、１８は前記延長管７の外周に形成される係止部で、起立保持された状態の前記掃除機本体１の溝部１７に上方から前記延長管７係止部１８を挿入嵌合するようになっており、この状態で、前記延長管７に装着された床用吸込具９の先端が床面に接地するようになっている。１９は前記延長管７の外周に形成された保持部で、前記手元側接続管８を保持可能に構成されている。
而して、電気掃除機を収納する際に、掃除機本体１は、起立保持部１４後端及び脚部１６を床面に接地させることで、掃除機本体１の背面Ａを床面に対向するように起立保持される。次に、延長管７を手元側接続管８から脱離し、掃除機本体１溝部に延長管７係止部１８を挿入嵌合して、床用吸込具を装着した状態の延長管７を、掃除機本体１に保持する。そして、ホース５を、本体側接続管６を掃除機本体１に接続させた状態で、掃除機本体１外周に巻き付けるようにして、ホース収納空間１５内に遊嵌させ、起立保持部１４に係止させるとともに、ホース５先端の手元側接続管８を延長管７保持部１９に保持させることで、ホースが撓まないように収納する。
【００２１】
この構成によると、起立保持部１４は、掃除機本体１後方上面に配設される取っ手部１３の後方に延設されているので、従来と比較して、脚部１６と起立保持部１４との間隔を広くすることができ、安定して掃除機本体１を起立保持させることができる。また、掃除機本体１の背面Ａ上部に脚部１６を不要とすることができ、掃除機本体１のデザイン性を向上させる形状にすることが可能となる等の掃除機本体１後部の形状に対する制約を少なくすることができる。
【００２２】
また、ホース５を掃除機本体１外周に巻き付けて、収納することができるので、コンパクトに収納することができる。そのため、例えば、収納された電気掃除機において、ホース５が不用意に移動することがなく、安定に収納することができるとともに、ホース５に手や腕が接触する等による掃除機本体１の転倒を防止することができる。
さらに、電気掃除機を収納する際、延長管７に装着された床用吸込具９の先端が床面に接地するように構成されているため、より安定して掃除機本体１を床面に起立保持することができる。
【００２３】
尚、本実施形態では、掃除機本体１の背面下部に脚部１６を形成しているが、掃除機本体１左右両側面の後方に配設される後車輪１２を、少なくとも一部が掃除機本体１の背面Ａより後方へ突出するように構成してもよい。この構成により、掃除機本体１を起立保持させる際に、後車輪１２を床面に接地させることができるので、後車輪１２を脚部１６と兼用することができる。
【００２４】
また、脚部１６は、掃除機本体１背面Ａの下部左右両側に形成しているが、脚部１６を背面Ａの下部に加えて、掃除機本体１背面Ａの上部の左右両側に形成してもよい。この構成により、掃除機本体１の左右方向への転倒を防止することができる。また、電源コードの引出口の周縁部２０とが床面と接地するように構成してもよい。この構成により、三つの脚部１６と周縁部２０とが床面に接地することで、掃除機本体１を安定して起立保持することができる。
【００２５】
さらに、電気掃除機を収納する際、常に床用吸込具９の先端が床面に接地するように、床用吸込具９を装着した延長管７が掃除機本体１に保持される構成としているが、床用吸込具９の先端が床面とは接地しないように構成してもよい。床用吸込具９の先端には、壁際での操作性向上の目的で、壁面に対して摺動可能に構成するための起毛布が配設されることがあり、このような場合、床用吸込具９の先端が床面に接地しないようにすることで、起毛布が折れ曲がりを防止することができる。床用吸込具９を床面に接地させない場合、床用吸込具９が保持されている掃除機本体１の床用吸込具９側に傾いた際にのみ、床用吸込具９が床面に接地し、掃除機本体１の転倒を防ぐよう構成することが好ましい。
【００２６】
次に本発明の第二実施形態を図７乃至図１２に基づいて以下に詳述する。尚、上述の第一実施形態と同一部品は同一符号を附して説明を省略する。
【００２７】
２１は掃除機本体１後方上部に前後方向に沿って立設される略コ字状の取っ手部で、前端部に形成された枢支軸２２を掃除機本体１上部に形成した枢支部（図示せず）に枢支させ、後方下端部に形成されたガイド軸２３を掃除機本体１上部に形成したガイド溝２４に挿入し、取っ手部２１前方の枢支軸２２を回動中心として取っ手部２１後方側が上下動するよう構成されている。前記取っ手部２１は、従来周知の保持機構により上方に回動した状態を保持するよう構成されている。
【００２８】
前記取っ手部２１の後端部から掃除機本体１の背面Ａ側に向かって起立保持部２５が延設されており、取っ手部２１を上方に回動した状態で、該起立保持部２５と掃除機本体１上面との間に、ホース５の直径と略同程度の隙間となるホース収納空間２６を形成している。
【００２９】
而して、電気掃除機を収納する際に、取っ手部２１を保持機構により保持されるまで上方に回動した後、掃除機本体１の背面Ａが床面に対向するように、起立保持部２４及び脚部１６を床面に接地させることで、掃除機本体１を床面に起立保持される。次に、延長管７を手元側接続管８から脱離し、掃除機本体１溝部に延長管７係止部１８を挿入嵌合して、床用吸込具を装着した状態の延長管７を、床用吸込具９の先端が床面に接地するように、掃除機本体１に保持する。そして、ホース５を、本体側接続管６を掃除機本体１に接続させた状態で、掃除機本体１に巻き付けるようにして、ホース収納空間２６内に遊嵌させ、起立保持部２５に係止させるとともに、ホース５先端の手元側接続管８を延長管７保持部１９に保持させることで、ホース５が撓まないように収納する。
【００３０】
この構成により、起立保持部２５は、掃除機本体１の上方へ回動可能に構成される取っ手部２１の後方に延設されているので、上記第一実施形態と同様に、安定して掃除機本体を起立保持させることができるとともに、掃除機本体１の形状に対する制約を少なくすることができる。また、取っ手部２１は回動可能に構成されるため、取っ手部２１を掃除機本体１の下方へ回動させることで、取っ手部２１を収納することができ、取っ手部２１を収納することで掃除機本体を小型化できる。
【産業上の利用可能性】
【００３１】
本発明は、ホースを収納する電気掃除機に広く利用可能である。
【符号の説明】
【００３２】
１    掃除機本体
２    電動送風機
３    集塵室
４    ダストカップ
５    ホース
６    本体側接続管
７    延長管
８    手元側接続管
９    床用吸込具
１０  排気口
１１  前車輪
１２  後車輪
１３  取っ手部
１４  起立保持部
１５  ホース収納空間
１６  脚部
１７  溝部
１８  係止部
１９  保持部
２０  周縁部
２１  取っ手部
２２  枢支軸
２３  ガイド軸
２４  ガイド溝
２５  起立保持部
２６  ホース収納空間
Ａ    背面
【図１】
2011245188.tif 000003
【図２】
2011245188.tif 000004
【図３】
2011245188.tif 000005
【図４】
2011245188.tif 000006
【図５】
2011245188.tif 000007
【図６】
2011245188.tif 000008
【図７】
2011245188.tif 000009
【図８】
2011245188.tif 000010
【図９】
2011245188.tif 000011
【図１０】
2011245188.tif 000012
【図１１】
2011245188.tif 000013
【図１２】
2011245188.tif 000014